(57)【要約】【課題】建物の外壁に沿って横向きの延長方向に配置される長尺の庇パネルを備えた横張り形式の庇構成体に関して、構成部材の連結構造を提供する。【解決手段】庇構成部材の一方を第１構成部材(M1)とし、他方を第２構成部材(M2)として、両部材を対面させた状態で、前記延長方向(L)に延びる長尺の連結部材(26)を介して、相互に連結する構造である。第１構成部材(M1)と第２構成部材(M2)は、相互に上側凸部(29)を上側凹部(35)に嵌入し、下側凸部(36)を下側凹部(30)に嵌入した状態で、上下から対向する受入溝(32)(38)によりトンネル状空間(44)を形成する。該トンネル状空間(44)に連結部材(26)を圧入することにより受入溝(32)(38)を上下に押し広げると、上向きの嵌着リブ(33)がパッキン収納溝(31)に嵌入されると共にパッキン(43)を圧縮し、下向きの嵌着リブ(37)が係止溝(39)に嵌入される。【選択図】図７
2011042955.tif 000002
【特許請求の範囲】
【請求項１】
建物の外壁に沿って横向きの延長方向(L)に配置される長尺の庇パネル(2)を備えた横張り形式の庇構成体であり、
前記庇構成体(1)は、建物の外壁に支持部材(4)を介して固設されるベース部材(5)と、該庇構成体の先端縁を構成する先端部材(6)と、前記ベース部材(5)と先端部材(6)の間に配置される庇パネル(2)から成り、少なくとも、前記ベース部材(5)と前記庇パネル(2)は、前記延長方向(L)に押出成形された金属成形材により構成されたものにおいて、
前記ベース部材(5)と庇パネル(2)のうち、一方を第１構成部材(M1)とし、他方を第２構成部材(M2)として、両部材を対面させた状態で、前記延長方向(L)に延びる長尺の連結部材(26)を介して、相互に連結する構造(7a)であり、
前記第１構成部材(M1)は、対面部分に関して、上部に上側凸部(29)を設けると共に下部に下側凹部(30)を設け、上側凸部(29)の上面にパッキン収納溝(31)を形成すると共に下面に受入溝(32)を形成し、下側凹部(30)の下縁に上向きの嵌着リブ(33)を設けており、
前記第２構成部材(M2)は、対面部分に関して、上部に上側凹部(35)を設けると共に下部に下側凸部(36)を設け、上側凹部(35)の上縁に下向きの嵌着リブ(37)を設け、下側凸部(36)の上面に受入溝(38)を形成すると共に下面に係止溝(39)を形成しており、
前記パッキン収納溝(31)にパッキン(43)を収納した前記第１構成部材(M1)の上側凸部(29)を第２構成部材(M2)の上側凹部(35)に嵌入し、前記第２構成部材(M2)の下側凸部(36)を第１構成部材(M1)の下側凹部(30)に嵌入した状態で、上下から対向する受入溝(32)(38)により形成されたトンネル状空間(44)に連結部材(26)を圧入することにより、該受入溝(32)(38)を上下方向に押し広げ、第２構成部材(M2)の嵌着リブ(37)を第１構成部材(M1)のパッキン収納溝(31)に嵌入させてパッキン(43)を圧縮すると共に、第１構成部材(M1)の嵌着リブ(33)を第２構成部材(M2)の係止溝(39)に嵌入させるように構成して成ることを特徴とする庇構成体における構成部材の連結構造。
【請求項２】
建物の外壁に沿って横向きの延長方向(L)に配置される長尺の庇パネル(2)を備えた横張り形式の庇構成体であり、
前記庇構成体(1)は、建物の外壁に支持部材(4)を介して固設されるベース部材(5)と、該庇構成体の先端縁を構成する先端部材(6)と、前記ベース部材(5)と先端部材(6)の間に配置される庇パネル(2)から成り、少なくとも、前記庇パネル(2)と前記先端部材(6)は、前記延長方向に押出成形された金属成形材により構成されたものにおいて、
前記庇パネル(2)と先端部材(6)のうち、一方を第１構成部材(M1)とし、他方を第２構成部材(M2)として、両部材を対面させた状態で、前記延長方向(L)に延びる長尺の連結部材(26)を介して、相互に連結する構造(7b)であり、
前記第１構成部材(M1)は、対面部分に関して、上部に上側凸部(29)を設けると共に下部に下側凹部(30)を設け、上側凸部(29)の上面にパッキン収納溝(31)を形成すると共に下面に受入溝(32)を形成し、下側凹部(30)の下縁に上向きの嵌着リブ(33)を設けており、
前記第２構成部材(M2)は、対面部分に関して、上部に上側凹部(35)を設けると共に下部に下側凸部(36)を設け、上側凹部(35)の上縁に下向きの嵌着リブ(37)を設け、下側凸部(36)の上面に受入溝(38)を形成すると共に下面に係止溝(39)を形成しており、
前記パッキン収納溝(31)にパッキン(43)を収納した前記第１構成部材(M1)の上側凸部(29)を第２構成部材(M2)の上側凹部(35)に嵌入し、前記第２構成部材(M2)の下側凸部(36)を第１構成部材(M1)の下側凹部(30)に嵌入した状態で、上下から対向する受入溝(32)(38)により形成されたトンネル状空間(44)に連結部材(26)を圧入することにより、該受入溝(32)(38)を上下方向に押し広げ、第２構成部材(M2)の嵌着リブ(37)を第１構成部材(M1)のパッキン収納溝(31)に嵌入させてパッキン(43)を圧縮すると共に、第１構成部材(M1)の嵌着リブ(33)を第２構成部材(M2)の係止溝(39)に嵌入させるように構成して成ることを特徴とする庇構成体における構成部材の連結構造。
【請求項３】
建物の外壁に沿って横向きの延長方向(L)に配置される長尺の庇パネル(2)を備えた横張り形式の庇構成体であり、
前記庇構成体(1)は、建物の外壁に支持部材(4)を介して固設されるベース部材(5)と、該庇構成体の先端縁を構成する先端部材(6)と、前記ベース部材(5)と先端部材(6)の間に並設状に配置される複数の庇パネル(2)(2)から成り、少なくとも、並設された隣り合う庇パネル(2)(2)は、前記延長方向に押出成形された金属成形材により構成されたものにおいて、
前記隣り合う庇パネル(2)(2)のうち、一方を第１構成部材(M1)とし、他方を第２構成部材(M2)として、両部材を対面させた状態で、前記延長方向（Ｌ）に延びる長尺の連結部材を介して、相互に連結する構造(7c)であり、
前記第１構成部材(M1)は、対面部分に関して、上部に上側凸部(29)を設けると共に下部に下側凹部(30)を設け、上側凸部(29)の上面にパッキン収納溝(31)を形成すると共に下面に受入溝(32)を形成し、下側凹部(30)の下縁に上向きの嵌着リブ(33)を設けており、
前記第２構成部材(M2)は、対面部分に関して、上部に上側凹部(35)を設けると共に下部に下側凸部(36)を設け、上側凹部(35)の上縁に下向きの嵌着リブ(37)を設け、下側凸部(36)の上面に受入溝(38)を形成すると共に下面に係止溝(39)を形成しており、
前記パッキン収納溝(31)にパッキン(43)を収納した前記第１構成部材(M1)の上側凸部(29)を第２構成部材(M2)の上側凹部(35)に嵌入し、前記第２構成部材(M2)の下側凸部(36)を第１構成部材(M1)の下側凹部(30)に嵌入した状態で、上下から対向する受入溝(32)(38)により形成されたトンネル状空間(44)に連結部材(26)を圧入することにより、該受入溝(32)(38)を上下方向に押し広げ、第２構成部材(M2)の嵌着リブ(37)を第１構成部材(M1)のパッキン収納溝(31)に嵌入させてパッキン(43)を圧縮すると共に、第１構成部材(M1)の嵌着リブ(33)を第２構成部材(M2)の係止溝(39)に嵌入させるように構成して成ることを特徴とする庇構成体における構成部材の連結構造。
【請求項４】
前記延長方向(L)に延びる長尺の連結部材(26)は、前記トンネル状空間(44)に圧入される棒状部(27)と、該棒状部の側面から突出するリブ(28)を一体に備え、該リブを介して前記延長方向に湾曲しないように直線姿勢を保持されており、
前記第１構成部材(M1)と第２構成部材(M2)は、それぞれの受入溝(32)(38)の両側に対向部(32a,32a)(38a,38a)を設け、該受入溝(32)(38)を上下方向に押し広げたとき、相互に対向する対向部が離反することにより隙間(45)(45)を形成するように構成されており、
前記連結部材(26)をトンネル状空間(44)に圧入したとき、棒状部(27)が受入溝(32)(38)を上下方向に押し広げ、リブ(28)が前記隙間(45)に挿入されるように構成して成ることを特徴とする請求項１、２又は３に記載の庇構成体における構成部材の連結構造。
【請求項５】
前記連結部材(26)は、棒状部(27)を断面矩形に形成すると共に、該棒状部の両側面にリブ(28)(28)を突設しており、
前記第１構成部材(M1)と第２構成部材(M2)の上下から対向する受入溝(32)(38)は、それぞれ断面ほぼコ字形に形成され、両受入溝の底部に突条(34)(40)を形成して成ることを特徴とする請求項１、２、３又は４に記載の庇構成体における構成部材の連結構造。
【発明の詳細な説明】
【技術分野】
【０００１】
本発明は、建物の外壁に沿って横向きの延長方向に配置される長尺の庇パネルを備えた横張り形式の庇構成体における構成部材の連結構造に関する。
【背景技術】
【０００２】
建物の外壁に取付けられる庇構成体は、庇パネルの配置態様により「縦張り形式」と「横張り形式」に分類される。
【０００３】
「縦張り形式」の庇構成体は、図１１（Ａ）に示すように、建物の外壁から屋外方向に延びるように配置された多数の庇パネルｐ１を支持部材Ｓ１を介して外壁の横方向に列設することにより庇構成体Ｐ１が形成される。従って、出幅Ｗに相当する比較的短尺の庇パネルｐ１を現場に搬送すれば良いので、運搬が容易である。また、庇パネルｐ１は、長尺のパネルを前記出幅Ｗに応じて切断することにより得られるので、自由な出幅寸法とした庇構成体Ｐ1を設計できるという利点がある。
【０００４】
しかしながら、「縦張り形式」の場合、前述のように長尺のパネルを出幅Ｗに応じて正確に切断することにより多数の庇パネルｐ１を準備する必要があり、しかも、現場で列設される多数の庇パネルｐ１を相互に、逐一、連結しなければならないため、作業が煩雑となる。そして、外壁の出隅コーナ部Ｃ１に庇パネルｐ１を配置しようとしても、それを支持することができないので、コーナ庇部ＰＣを形成することができないという問題がある。
【０００５】
これに対して、「横張り形式」の庇構成体は、図１１（Ｂ）に示すように、長尺の庇パネルｐ２を建物の外壁に沿って横向きの延長方向Ｌに配置することにより庇構成体Ｐ２が形成される。従って、庇パネルｐ２を外壁の出隅コーナ部Ｃ２に至るように延長することによりコーナ庇部ＰＣを形成することができる。庇パネルｐ２は、外壁に支持部材Ｓ２を介して固着されているので、庇パネルｐ２と一体に形成されたコーナ庇部ＰＣの荷重は支持部材Ｓ２により支持される。
【０００６】
しかしながら、「横張り形式」の場合、建物の外壁に支持部材Ｓ２を介して固設されるベース部材ｂと、該ベース部材から出幅Ｗ方向に配置される庇パネルｐ２と、該庇パネルｐ２の先端に配置される先端部材ｅを相互に連結した状態で、庇構成体Ｐ２が支持部材Ｓ２に片持ち状に支持されるため、それぞれの連結部において高い連結強度が求められる。この点に関して、例えば、庇構成体Ｐ２を梁部材Ｂで剛体化し、該梁部材Ｂを支持部材Ｓ２に支持する場合は、露出する梁部材Ｂにより庇構成体Ｐ２の意匠が損なわれるため、望ましくない。
【先行技術文献】
【特許文献】
【０００７】
【特許文献１】特開２０００−１４５０７８号公報
【発明の概要】
【発明が解決しようとする課題】
【０００８】
上述の「横張り形式」の庇構成体は、ベース部材ｂと、庇パネルｐ２と、先端部材ｅの相互の連結部に関して、連結作業が容易であると共に、強固な連結を実現する連結構造を提供することが課題となる。
【０００９】
また、庇構成体Ｐ２の出幅Ｗを大きく構成するためには、複数の庇パネルｐ２、ｐ２を屋外方向に並設して連設することになるが、この場合、隣接する庇パネルｐ２、ｐ２の相互の連結部に関しても、連結作業が容易であると共に、強固な連結を実現する連結構造を提供することが課題となる。
【００１０】
更に、前述のような庇構成体Ｐ２の構成部材の連結部は、雨水が該連結部を浸透して下方に滴下することがないように、水密的に連結することが求められる。
【課題を解決するための手段】
【００１１】
本発明は、「横張り形式」の庇構成体における構成部材に関して、上記課題を解決した連結構造を提供するものである。
【００１２】
本発明の第１発明は、「横張り形式」の庇構成体におけるベース部材と庇パネルの連結構造に関するものであり、前記ベース部材と前記庇パネルは、前記延長方向Ｌに押出成形された金属成形材により構成されており、一方を第１構成部材とし、他方を第２構成部材として、両部材を対面させた状態で、前記延長方向Ｌに延びる長尺の連結部材を介して、相互に連結する構造を提供する。
【００１３】
本発明の第２発明は、「横張り形式」の庇構成体における庇パネルと先端部材の連結構造に関するものであり、前記庇パネルと前記先端部材は、前記延長方向Ｌに押出成形された金属成形材により構成されており、一方を第１構成部材とし、他方を第２構成部材として、両部材を対面させた状態で、前記延長方向Ｌに延びる長尺の連結部材を介して、相互に連結する構造を提供する。
【００１４】
本発明の第３発明は、「横張り形式」の庇構成体における並設状に配置される複数の庇パネルの連結構造に関するものであり、前記庇パネルは、前記延長方向Ｌに押出成形された金属成形材により構成されており、隣り合う庇パネルの一方を第１構成部材とし、他方を第２構成部材として、両部材を対面させた状態で、前記延長方向Ｌに延びる長尺の連結部材を介して、相互に連結する構造を提供する。
【００１５】
前記第１発明ないし第３発明において、前記第１構成部材は、対面部分に関して、上部に上側凸部を設けると共に下部に下側凹部を設け、上側凸部の上面にパッキン収納溝を形成すると共に下面に受入溝を形成し、下側凹部の下縁に上向きの嵌着リブを設けており、前記第２構成部材は、対面部分に関して、上部に上側凹部を設けると共に下部に下側凸部を設け、上側凹部の上縁に下向きの嵌着リブを設け、下側凸部の上面に受入溝を形成すると共に下面に係止溝を形成しており、前記パッキン収納溝にパッキンを収納した前記第１構成部材の上側凸部を第２構成部材の上側凹部に嵌入し、前記第２構成部材の下側凸部を第１構成部材の下側凹部に嵌入した状態で、上下から対向する受入溝により形成されたトンネル状空間に連結部材を圧入することにより、該受入溝を上下方向に押し広げ、第２構成部材の嵌着リブを第１構成部材のパッキン収納溝に嵌入させてパッキンを圧縮すると共に、第１構成部材の嵌着リブを第２構成部材の係止溝に嵌入させるように構成している。
【００１６】
本発明の好ましい実施形態において、前記延長方向Ｌに延びる長尺の連結部材は、前記トンネル状空間に圧入される棒状部と、該棒状部の側面から突出するリブを一体に備え、該リブを介して前記延長方向に湾曲しないように直線姿勢を保持されており、前記第１構成部材と第２構成部材は、それぞれの受入溝の両側に対向部を設け、該受入溝を上下方向に押し広げたとき、相互に対向する対向部が離反することにより隙間を形成するように構成されており、前記連結部材をトンネル状空間に圧入したとき、棒状部が受入溝を上下方向に押し広げ、リブが前記隙間に挿入されるように構成されている。
【００１７】
この際、前記連結部材は、棒状部を断面矩形に形成すると共に、該棒状部の両側面にリブを突設しており、前記第１構成部材と第２構成部材の上下から対向する受入溝は、それぞれ断面ほぼコ字形に形成され、両受入溝の底部に突条を形成している。
【発明の効果】
【００１８】
請求項１ないし請求項３に記載の本発明によれば、パッキン収納溝３１にパッキン４３を収納した第１構成部材Ｍ１の上側凸部２９を第２構成部材Ｍ２の上側凹部３５に嵌入し、第２構成部材Ｍ２の下側凸部３６を第１構成部材Ｍ１の下側凹部３０に嵌入した状態で、上下から対向する受入溝３２、３８により形成されたトンネル状空間４４に連結部材２６を圧入することにより、該受入溝３２、３８を上下方向に押し広げ、第２構成部材Ｍ２の嵌着リブ３７を第１構成部材Ｍ１のパッキン収納溝３１に嵌入させてパッキン４３を圧縮すると共に、第１構成部材Ｍ１の嵌着リブ３３を第２構成部材Ｍ２の係止溝３９に嵌入させる構成であるから、強固な連結構造７が達成され、該連結構造７を介して第１構成部材Ｍ１と第２構成部材Ｍ２の全体を剛体化し、片持ち支持に耐える庇構成体１を提供できる。
【００１９】
しかも、連結の際は、第１構成部材Ｍ１と第２構成部材Ｍ２の受入溝３２、３８により形成されたトンネル状空間４４の開口端に連結部材２６の先端を挿入した後、該連結部材２６を圧入するだけで良く、これにより、圧入された連結部材２６が先端から受入溝３２、３８を押し広げながら進入し、第１構成部材Ｍ１と第２構成部材Ｍ２を全長にわたり強固に結合するので、作業を迅速容易に行うことができる。
【００２０】
そして、連結構造７の上部に位置して、嵌着リブ３７によりパッキン４３を圧縮させる構成であるから、圧縮されたパッキン４３の復元力により受入溝３２、３８の底部を連結部材２６の上下面に圧接させることができ、これによりガタツキのない連結を達成すると共に、雨漏り等のない水密的シールを実現する。
【００２１】
請求項４に記載の本発明によれば、連結部材２６は、棒状部２７にリブ２８、２８を一体に形成することにより、延長方向Ｌに湾曲せずに、直線状態を保持するように構成されているので、上述のようなトンネル状空間４４に対する圧入作業が容易となる。
【００２２】
請求項５に記載の本発明によれば、連結部材２６の棒状部２７が断面矩形に形成されており、これに対して受入溝３２、３８が断面ほぼコ字形に形成されると共に底部に突条３４、４０を形成しているので、棒状部２７の圧入時の摩擦抵抗を軽減し、圧入作業を容易とする。そして、万一、パッキン４３の劣化等により雨水の浸入を許した場合でも、突条３４、４０が棒状部２７の上下面に圧接されているので、雨水の通過を阻止できる。
【図面の簡単な説明】
【００２３】
【図１】本発明の庇構成体に関して、各構成体を相互に連結した状態を示す断面図である。
【図２】本発明の庇構成体に関して、各構成体を相互に分離した状態を示す断面図である。
【図３】連結部材の１実施例を示す斜視図である。
【図４】本発明の庇構成体に関して、庇パネルを連装した実施形態を示し、各構成体を相互に連結した状態を示す断面図である。
【図５】本発明の庇構成体に関して、連結構造を拡大して示す断面図である。
【図６】連結構造の連結方法を示しており、（Ａ）は連結前の状態を示す断面図、（Ｂ）は連結中の状態を示す断面図、（Ｃ）は連結後の状態を示す断面である。
【図７】連結構造に関して連結状態を示す断面図である。
【図８】本発明の庇構成体に関して、庇パネルを連装した実施形態に吊持部材を取付けた状態を示す断面図である。
【図９】図８のＡ部を拡大して示す断面図である。
【図１０】本発明の庇構成体に関して、庇パネルの連装枚数を増加した実施形態に吊持部材を取付けた状態を示す断面図である。
【図１１】本発明を理解するための参考例を示しており、（Ａ）は「縦張り形式」の庇構成体を示す平面図、（Ｂ）は「横張り形式」の庇構成体を示す平面図である。
【発明を実施するための形態】
【００２４】
以下図面に基づいて本発明の好ましい実施形態を詳述する。
【００２５】
図１に示す庇構成体１は、図１１（（Ｂ）に基づいて上述したような長尺の庇パネル２を建物の外壁３に沿って横向きの延長方向Ｌに配置した「横張り形式」の庇構成体を構成する。
【００２６】
庇構成体１は、外壁３に支持部材４を介して固設されるベース部材５と、該庇構成体１の先端縁を構成する先端部材６と、前記ベース部材５と先端部材６の間に配置される庇パネル２から成り、ベース部材５、庇パネル２、先端部材６は、前記延長方向Ｌに押出成形されたアルミニウム成形材等の金属成形材により構成されている。
【００２７】
そこで、ベース部材５と庇パネル２の相互に関しては、一方を第１構成部材Ｍ１とし、他方を第２構成部材Ｍ２として、両部材を対面させた状態で連結可能とする連結構造７ａが設けられている。
【００２８】
また、庇パネル２と先端部材６の相互に関しては、一方を第１構成部材Ｍ１とし、他方を第２構成部材Ｍ２として、両部材を対面させた状態で連結可能とする連結構造７ｂが設けられている。
【００２９】
更に、図４に示すように、２枚以上の庇パネル２、２を出幅方向に連装した実施形態に関しては、隣り合う庇パネル２、２のうち、一方を第１構成部材Ｍ１とし、他方を第２構成部材Ｍ２として、両部材を対面させた状態で連結可能とする連結構造７ｃが設けられている。
【００３０】
図２に示すように、支持部材４は、建物の外壁３にアンカーボルト等のボルト８により固着される板状部９を備え、該板状部９の上下にそれぞれ前方（室外方向）に突出する上側リップ１０及び下側リップ１１を設けている。
【００３１】
これに対して、ベース部材５は、上下に位置する上板部１２と下板部１３を内部壁１４により連結した中空体を構成し、前記上側リップ１０及び下側リップ１１に上下から重ね合わせられる固着片１５、１６を一体に備えている。尚、上板部１２は、屋外に向けて下り勾配を有する斜壁を形成し、前記固着片１５、１６は、それぞれ上板部１２及び下板部１３から内側に向かう段部を介して延設されることにより、それぞれ段状ポケット１７、１８を形成する。
【００３２】
そこで、前記固着片１５、１６は、上側リップ１０及び下側リップ１１に重ね合わせた状態で、それぞれビス１９、２０により固着され、図１に示すように、上側の段状ポケット１７にシーリング材２１が充填され、下側の段状ポケット１８は、蓋板２２を嵌着することにより閉鎖される。
【００３３】
庇パネル２は、上下に位置する上板部２３と下板部２４をほぼ中央部で複数の内部壁２５、２５により連結した中空パネルを構成している。
【００３４】
先端部材６は、図２に実線で示すような鼻先部材６ａと、鎖線で示すような樋部材６ｂから選択可能となるように構成されている。
【００３５】
図示の実施形態において、前記連結構造７ａ、７ｂ、７ｃは、概ね同一構成とされているので、以下、これを連結構造７として説明する。尚、本発明は、前記連結構造７ａ、７ｂ、７ｃのうち、少なくとも１つに本発明の連結構造７を備えるものであり、それ以外の連結構造には本発明と異なる構造を採用しても良い。
【００３６】
本発明の連結構造７は、第１構成部材Ｍ１と第２構成部材Ｍ２を対面させた状態で、図３に示すような、前記延長方向Ｌに延びる長尺の連結部材２６を介して、相互に連結される。連結部材２６は、第１構成部材Ｍ１及び第２構成部材Ｍ２の延長方向Ｌの全長に延びる棒状部２７と、該棒状部２７の側面から突出するリブ２８を一体に備えており、アルミニウム等の金属又は強靱な合成樹脂又は高硬度のゴム等により押出成形されている。図示のように、連結部材２６は、棒状部２７を分厚い断面矩形に形成すると共に、該棒状部２７の両側面に比較的薄い板状のリブ２８、２８を突設し、全体として断面をほぼ十文字状に形成されており、これにより、前記延長方向Ｌに向けて湾曲することなく直線状に延びる。即ち、連結部材２６は、細く長く延びるものであるため、断面が単なる円形や矩形の場合は延長方向に向けて湾曲し易いが、棒状部２７にリブ２８、２８を一体に設けているので、延長方向に湾曲せず直線状態を保持し、後述するような連結構造７に対する圧入作業を容易とする。従って、図例の場合、棒状部２７の両側面にリブ２８、２８を設けた断面ほぼ十文字状のものを示しているが、リブ２８の本数を問うものではない。
【００３７】
図５に示すように、連結構造７は、相互に対面させられた第１構成部材Ｍ１と第２構成部材Ｍ２の対面部分に位置して、連結されたときに相互に上下方向に合致するように肉厚方向の中間部を延びる基準横線Ｃ１、Ｃ２と、連結されたときに相互に前後方向に合致する鉛直方向の基準縦線Ｖに関して、凸部と凹部を嵌合させ、溝とリブを嵌合させるように構成されている。
【００３８】
第１構成部材Ｍ１は、前記対面部分に位置して、上部に上側凸部２９を設けると共に下部に下側凹部３０を設け、上側凸部２９の上面にパッキン収納溝３１を形成すると共に下面に受入溝３２を形成し、下側凹部３０の下縁に上向きの嵌着リブ３３を設けており、前記パッキン収納溝３１の内側の開口縁３１ａと、前記受入溝３２の中心と、前記嵌着リブ３３の外側縁３３ａが基準縦線Ｖにほぼ合致するように構成している。前記受入溝３２は、基準横線Ｃ１よりもやや上方に位置して下向きに開口する断面ほぼコ字形に形成され、開口縁の両側に対向部３２ａ、３２ａを設けると共に、該受入溝３２の底部中心に突条３４を設けている。
【００３９】
第２構成部材Ｍ２は、前記対面部分に位置して、上部に上側凹部３５を設けると共に下部に下側凸部３６を設け、上側凹部３５の上縁に下向きの嵌着リブ３７を設け、下側凸部３６の上面に受入溝３８を形成すると共に下面に係止溝３９を形成しており、前記嵌着リブ３７の外側縁３７ａと、前記受入溝３８の中心と、前記係止溝３９の内側溝壁３９ａが基準縦線Ｖにほぼ合致するように構成している。前記受入溝３８は、基準横線Ｃ２よりもやや下方に位置して上向きに開口する断面ほぼコ字形に形成され、開口縁の両側に対向部３８ａ、３８ａを設けると共に、該受入溝３８の底部中心に突条４０を設けている。
【００４０】
尚、第１構成部材Ｍ１は、前記基準横線Ｃ１に位置して、受入溝３２の内側の対向部３２ａ及び下側凹部３０の裏面から中空部に向けて（対面方向と反対方向に向けて）ほぼ筒状の補強片４１を突設し、同様に、第２構成部材Ｍ２は、前記基準横線Ｃ２に位置して、上側凹部３５の裏面及び受入溝３８の内側の対向部３８ａから中空部に向けて（対面方向と反対方向に向けて）ほぼ筒状の補強片４２を突設している。
【００４１】
上記のように構成された連結構造７の連結方法を図６に示している。
【００４２】
図６（Ａ）に示すように、第１構成部材Ｍ１のパッキン収納溝３１にパッキン４３を収納した状態で、第１構成部材Ｍ１の基準横線Ｃ１を下位に位置させ、第２構成部材Ｍ２の基準横線Ｃ２を上位に位置させることにより、相互に偏位させた状態で対面させ、図示の矢印で示すように、第１構成部材Ｍ１の上側凸部２９を第２構成部材Ｍ２の上側凹部３５に嵌入させると共に、第２構成部材Ｍ２の下側凸部３６を第１構成部材Ｍ１の下側凹部３０に嵌入させる。
【００４３】
図６（Ｂ）に示すように、第２構成部材Ｍ２の嵌着リブ３７を第１構成部材Ｍ１のパッキン収納溝３１の内側開口縁３１ａに当接させ、第１構成部材Ｍ１の嵌着リブ３３を第２構成部材Ｍ２の係止溝３９の内側溝壁３９ａに当接させると、第１構成部材Ｍ１と第２構成部材Ｍ２は、相互に基準縦線Ｖを合致する。この状態で、嵌着リブ３７とパッキン収納溝３１の相互、嵌着リブ３３と係止溝３９の相互は、未だ嵌合されておらず、上下に対向する受入溝３２、３８の対向部３２ａ、３８ａが近接しているが、図示の矢印で示すように、基準縦線Ｖに沿って、第１構成部材Ｍ１を上向きに移動させ、第２構成部材Ｍ２を下向きに移動させると、受入溝３２、３８が上下方向に広がると共に、嵌着リブ３７とパッキン収納溝３１、嵌着リブ３３と係止溝３９がそれぞれ相互に嵌合されることになる。
【００４４】
そこで、上下に対向する受入溝３２、３８により形成されたトンネル状空間４４に連結部材２６の棒状部２７を圧入すると、図６（Ｃ）に示すように、受入溝３２、３８が上下方向に押し広げられることにより、第１構成部材Ｍ１が矢印Ｕで示すように上動すると共に、第２構成部材Ｍ２が矢印Ｄで示すように下動することにより、それぞれの基準横線Ｃ１、Ｃ２を合致させる位置まで移動し、嵌着リブ３７をパッキン収納溝３１に嵌入させてパッキン４３を圧縮すると共に、嵌着リブ３３を係止溝３９に嵌入し、これにより連結構造７を強固に連結する。
【００４５】
連結部材２６の棒状部２７をトンネル状空間４４に圧入する作業を容易にするためには、例えば、図３に示すように、棒状部２７の先端にテーパ部２７ａを形成しておけば良いが、このようなテーパ部２７ａを形成することは必須ではない。何れの場合でも、少なくとも棒状部２７の挿入を開始するトンネル状空間４４の開口端に位置して、第１構成部材Ｍ１と第２構成部材Ｍ２を図６（Ｂ）の矢印で示すように相互に基準横線Ｃ１、Ｃ２が合致する方向に力を加えて移動させ、広げられた受入溝３２、３８の開口端から棒状部２７の先端を挿入し圧入すれば良い。これにより、棒状部２７の先端が受入溝３２、３８を押し広げながら延長方向Ｌに圧入されるので、圧入後の第１構成部材Ｍ１と第２構成部材Ｍ２は、相互に全長にわたり基準横線Ｃ１、Ｃ２を合致させられる。
【００４６】
このような連結部材２６の圧入に際して、連結部材２６は、リブ２８、２８を設けることにより断面ほぼ十文字状に形成され、直線状態を保持しているため、これにより圧入作業を容易とする。また、受入溝３２、３８の底部には突条３４、４０が設けられているので、棒状部２７の圧入時の摩擦抵抗を軽減する。
【００４７】
そして、棒状部２７が受入溝３２、３８を押し広げると、相互に対向する対向部３２ａ、３２ａと対向部３８ａ、３８ａが離反させられることにより隙間４５、４５を形成するので、連結部材２６のリブ２８、２８を該隙間４５、４５に挿入させる。
【００４８】
図７に拡大して示すように、連結構造７は、連結部材２６をトンネル状空間４４に圧入した状態で、棒状部２７が第１構成部材Ｍ１の受入溝３２を矢印Ｕで示すように押し上げると共に、第２構成部材Ｍ２の受入溝３８を矢印Ｄで示すように押し下げ、これにより離反した対向部３２ａ、３２ａと対向部３８ａ、３８ａの間に形成された隙間４５、４５にリブ２８、２８を挿入している。
【００４９】
そこで、連結構造７の上部においては、第１構成部材Ｍ１のパッキン４３を収納したパッキン収納溝３１が矢印Ｕ１のように押し上げられ、第２構成部材Ｍ２の嵌着リブ３７が押し下げられることにより、パッキン４３を圧縮すると共に、嵌着リブ３７とパッキン収納溝３１を深さＥ１に相当して係合している。
【００５０】
また、連結構造７の下部においては、第１構成部材Ｍ１の嵌着リブ３３が矢印Ｕ２のように押し上げられ、第２構成部材Ｍ２の係止溝３９が矢印Ｄ２のように押し下げられることにより、深さＥ２に相当して係合している。
【００５１】
これにより、第１構成部材Ｍ１と第２構成部材Ｍ２は、相互に離反しないように強固に連結されている。この状態で、圧縮されたパッキン４３の復元力を受けることにより、棒状部２７の上下面に対して受入溝３２、３８の底部が強く圧接されており、これによりガタツキのない連結を達成する。
【００５２】
連結構造７の上部は、嵌着リブ３７とパッキン４３により水密的にシールされているので、雨水が浸入することはなく、従って、雨水が庇構成体１の下方に滴下するようなことはない。この際、万一、パッキン４３の劣化等により雨水が浸入したとしても、最上部における嵌着リブ３７とパッキン収納溝３１の接合部分から、最下部における嵌着リブ３３と係止溝３９の接合部分に至る経路は、曲折したラビリンス（迷路）を形成しているので、雨水の通過を困難としており、しかも、受入溝３２、３８の底部に設けた突条３４、４０を棒状部２７の上下面に圧接しているので、雨水の通過を阻止する。
【００５３】
上記の結果、庇構成体１を構成する第１構成部材Ｍ１と第２構成部材Ｍ２は、連結構造７により強固に連結され庇構成体１の全体を剛体化するので、ベース部材５と庇パネル２の相互間、庇パネル２と先端部材６の相互間において、十分な強度のもとで片持ち支持される。しかしながら、図８ないし図１０に示すように、庇構成体１の出幅を大きくするために、複数枚の庇パネル２、２を並設する場合は、図示のような吊下装置４６により庇構成体１を外壁３に吊持させても良い。
【００５４】
この場合、図９に示すように、吊下装置４６の下側ブラケット４７を固着するための固着金具４８を庇パネル２の中空部に挿入し、ボルト・ナット４９で下側ブラケット４７を固着金具４８に固着するように構成することができる。このため、図示の実施例の場合、庇パネル２の筒状の補強片４２と、これが対向する内部壁２５のそれぞれに、相互に対向する爪５０、５１を形成しており、固着板４８を上壁部２３の下面に重ね合わせた状態で、該固着板４８の下向き折曲片４８ａを爪５０、５１に架設するように構成している。
【符号の説明】
【００５５】
１  庇構成体
２  庇パネル
３  外壁
４  支持部材
５  ベース部材
６  先端部材
７（７ａ、７ｂ、７ｃ）  連結構造
Ｍ１  第１構成部材
Ｍ２  第２構成部材
２６  連結部材
２７  棒状部
２８  リブ
２９  上側凸部
３０  下側凹部
３１  パッキン収納溝
３２  受入溝
３２ａ  対向部
３３  嵌着リブ
３４  突条
３５  上側凹部
３６  下側凸部
３７  嵌着リブ
３８  受入溝
３８ａ  対向部
３９  係止溝
４０  突条
４３  パッキン
４４  トンネル状空間
４５  隙間
【図１】
2011042955.tif 000003
【図２】
2011042955.tif 000004
【図３】
2011042955.tif 000005
【図４】
2011042955.tif 000006
【図５】
2011042955.tif 000007
【図６】
2011042955.tif 000008
【図７】
2011042955.tif 000009
【図８】
2011042955.tif 000010
【図９】
2011042955.tif 000011
【図１０】
2011042955.tif 000012
【図１１】
2011042955.tif 000013